(57)【要約】【課題】放水口からデフレクタ側に放出された消火水がフレームを伝って上側に流れていってしまうことを抑制することができる消火用ヘッドを提供することを目的としている。【解決手段】放水口を有するヘッド本体と、放水口に設けられた弁体と、上端側がヘッド本体に接続された上下方向に延びる複数のフレームと、フレームの下端側に設けられたデフレクタと、を備え、デフレクタのフレームの外周側に位置する部分は、フレームの取付位置の直下に設けられ、平坦面を有する上段部と、内側端部が上段部に接続された段差部と、内側端部が段差部に接続され、平坦面を有し、上段部よりも高さ位置が低い下段部とを有するものである。【選択図】図１
2016067509.tif 000002
【特許請求の範囲】
【請求項１】
放水口を有するヘッド本体と、
前記放水口に設けられた弁体と、
上端側が前記ヘッド本体に接続された上下方向に延びる複数のフレームと、
前記フレームの下端側に設けられたデフレクタと、
を備え、
前記デフレクタの前記フレームの外周側に位置する部分は、
前記フレームの取付位置の直下に設けられ、平坦面を有する上段部と、
内側端部が前記上段部に接続された段差部と、
内側端部が前記段差部に接続され、平坦面を有し、前記上段部よりも高さ位置が低い下段部とを有する
ことを特徴とする消火用ヘッド。
【請求項２】
前記フレームの下端側に設けられ、前記デフレクタが取り付けられているボス部と、
前記ボス部の上部に設けられ、前記放水口の下側に配置された突出部とを有し、
前記段差部は、
前記放水口から放出されて前記突出部において円錐状に広がる消火剤の着水位置よりも内側に形成されている
ことを特徴とする請求項１に記載の消火用ヘッド。
【発明の詳細な説明】
【技術分野】
【０００１】
本発明は、水等の消火剤が放射状に広がるようにするデフレクタを有する消火用ヘッドに関するものである。
【背景技術】
【０００２】
従来のスプリンクラヘッド等の消火用ヘッドには、消火水（消火剤）が流れる配管に接続される本体と、本体の放水口を閉塞する弁体と、本体の下側に取り付けられたフレームと、弁体を閉塞する機構と、フレームの下端側に取り付けられたデフレクタとを有するものが提案されている（たとえば、特許文献１参照）。特許文献１に記載のスプリンクラヘッドは、弁体が放水口から外れると、消火水が放水口からデフレクタ側に放出される。そして、デフレクタ上の消火水は、デフレクタの表面に沿って放射状に広がる。
【先行技術文献】
【特許文献】
【０００３】
【特許文献１】特開２０１２−１６５８０１号公報（たとえば、図１及び段落００１５参照）
【発明の概要】
【発明が解決しようとする課題】
【０００４】
ここで、消火水がデフレクタ上を流れると、その一部がフレームを伝って上側に飛散する。デフレクタは平板状に形成されたものであるが、デフレクタ上を流れる消火水の一部は、デフレクタの周縁部に至って放出されず、消火水の表面張力によりフレームを伝って上側に流れ、その後フレームから離れて飛散する場合がある。このような場合には、デフレクタのうちフレームが配置されている部分から放出される消火水の量、勢いなどが低減する。
【０００５】
本発明は、以上のような課題を解決するためになされたもので、放水口からデフレクタ側に放出された消火水（消火剤）がフレームを伝って上側に流れることを抑制することができる消火用ヘッドを提供することを目的としている。
【課題を解決するための手段】
【０００６】
本発明に係る消火用ヘッドは、放水口を有するヘッド本体と、放水口に設けられた弁体と、上端側がヘッド本体に接続された上下方向に延びる複数のフレームと、フレームの下端側に設けられたデフレクタと、を備え、デフレクタのフレームの外周側に位置する部分は、フレームの取付位置の直下に設けられ、平坦面を有する上段部と、内側端部が上段部に接続された段差部と、内側端部が段差部に接続され、平坦面を有し、上段部よりも高さ位置が低い下段部とを有するものである。
【０００７】
また、フレームの下端側に設けられ、デフレクタが取り付けられているボス部と、ボス部の上部に設けられ、放水口の下側に配置された突出部とを有し、段差部は、放水口から放出されて突出部において円錐状に広がる消火水（消火剤）の着水位置よりも内側に形成されているものである。
【発明の効果】
【０００８】
本発明に係る消火用ヘッドによれば、上記構成を有しているため、放水口からデフレクタ側に放出された消火水がフレームを伝って上側に流れていってしまうことを抑制することができる。
【図面の簡単な説明】
【０００９】
【図１】本発明の実施の形態に係るスプリンクラヘッド１００の全体図である。
【図２】本発明の実施の形態に係るスプリンクラヘッド１００のデフレクタ４０の説明図である。
【図３】ヘッド本体１０から放出されてボス部２１側に至った消火水の流れについての説明図である。
【図４】図３（ｂ）に示すＸ−Ｘ断面図である。
【図５】本発明の実施の形態に係るスプリンクラヘッド１００の変形例１の説明図である。
【図６】本発明の実施の形態に係るスプリンクラヘッド１００の変形例２の説明図である。
【発明を実施するための形態】
【００１０】
以下、本発明の実施の形態を図面に基づいて説明する。
実施の形態．
図１は、本実施の形態に係る消火水等の消火剤を放出する消火用ヘッドの一例であるスプリンクラヘッド１００の全体図である。図１（ａ）はスプリンクラヘッド１００の縦断面図であり、図１（ｂ）はスプリンクラヘッド１００を図１（ａ）に示す矢印Ａ１側から見た図であり、図１（ｃ）はスプリンクラヘッド１００を底面側から見た図である。
本実施の形態に係るスプリンクラヘッド１００は、放水口１２からデフレクタ４０側に放出された消火剤の一例である消火水がフレーム２０Ａ及びフレーム２０Ｂを伝って上側に流れていってしまうことを抑制することができる改良が加えられたものである。
なお、本実施の形態の説明において、「上」「下」とは、スプリンクラヘッド１００を設置した状態における「上」「下」に対応しており、また、図１（ａ）（ｂ）の「上」「下」とも対応している。
【００１１】
［構成説明］
スプリンクラヘッド１００は、ヘッド本体１０、フレーム２０Ａ、フレーム２０Ｂ、ボス部２１、弁体３０、デフレクタ４０及び弁体支持機構５０を備えている。
【００１２】
（ヘッド本体１０）
ヘッド本体１０は、消火水等の消火剤が供給される配管に接続されているものであって、上下方向に延びる中空部１０Ａが形成されている。中空部１０Ａには、上端に開口部１１が形成され、下端に放水口１２が形成されている。この開口部１１は、消火水を下側に放出する放水口１２を有している。ヘッド本体１０の外周部にはフランジ１３が形成されており、フランジ１３の上側のヘッド本体１０の外周部には給水管に接続されるねじ部１４が形成されている。
【００１３】
また、ヘッド本体１０には、高さ方向における中間部にノズル部１８が設けられている。すなわち、ヘッド本体１０には、高さ方向における中間部に、ノズル部１８の下端側を支持する係止部１５が形成されており、ノズル部１８は係止部１５に固定されている。
【００１４】
また、ヘッド本体１０には、ノズル部１８の上部に、ノズル部１８が上側に移動することを規制するストップリング１９が設けられている。すなわち、ヘッド本体１０には、ノズル部１８の配置位置の上側の内周面に環状の凹部１６が形成されている。ストップリング１９は、凹部１６に取り付けられている。このように、ノズル部１８は、係止部１５及びストップリング１９により上下方向の動きが規制されるようになっている。
【００１５】
さらに、ヘッド本体１０には、高さ方向における下端部に弁体３０が設けられる弁座１７が形成されている。弁座１７に弁体３０が取り付けられている状態においては、弁座１７の内側に形成されている放水口１２が閉じられて、ヘッド本体１０の消火水が放水口１２から放出されることが防止される。即ち、ヘッド本体１０には、たとえば平らに形成された弁座１７が設けられており、平常時には放水口１２が弁体３０によって塞がれている。
【００１６】
ノズル部１８は、上側の開口径よりも下側の開口径の方が小さくなっている。このノズル部１８を消火水が通過すると、その消火水の流束が小さくなる。これにより、ヘッド本体１０の放水口１２から放出される消火水の流束が広がることを抑制し、放水口１２から下方に放出された消火水がより確実にデフレクタ４０上に落ちるようになっている。
【００１７】
（弁体３０）
弁体３０は、スプリンクラヘッド１００の平常時においてヘッド本体１０の弁座１７に押しつけられている。弁体３０は、その下面が弁体支持機構５０によって保持されている。ヘッド本体１０には、たとえばバネなどの弾性部材（図示省略）が取り付けられており、スプリンクラヘッド１００の平常時において、弁体３０は、この弾性体によって下側に付勢されている。
【００１８】
（フレーム２０Ａ及びフレーム２０Ｂ）
フレーム２０Ａ及びフレーム２０Ｂは、上部側がヘッド本体１０に接続されて固定され、下端側にデフレクタ４０が取り付けられている。フレーム２０Ａ及びフレーム２０Ｂは、弁体３０の開閉を制御する弁体支持機構５０を保護するように上下に延び、いわゆる馬蹄形に形成されている。フレーム２０Ａ及びフレーム２０Ｂは、上端側がヘッド本体１０に接続され、当該接続部分から下側に延びるように形成されている。また、フレーム２０Ａ及びフレーム２０Ｂの下端側には、後述するボス部２１が接続されている。
【００１９】
フレーム２０Ａ及びフレーム２０Ｂは、たとえば、上端側及び下端側よりも中間部の方が、ボス部２１を通る鉛直方向の軸からの距離が大きくなるように湾曲している。そして、フレーム２０Ａの内周側とフレーム２０Ｂの内周側との間には、弁体３０及び弁体支持機構５０が配置されている。ここで、フレーム２０Ａ及びフレーム２０Ｂを水平断面視したときにおいて、フレーム２０Ａとフレーム２０Ｂとは、弁体支持機構５０が設置される位置を中心として、中心角が１８０度となるように配置されている。
【００２０】
（ボス部２１）
ボス部２１は、フレーム２０Ａ及びフレーム２０Ｂの下端側に位置している。本実施の形態では、ボス部２１は、フレーム２０Ａ及びフレーム２０Ｂと一体的に形成されている。このボス部２１には、ネジ２２が締結されている。すなわち、ボス部２１には上下に延びるネジ穴が形成されており、その開口部の内周面に雌ねじが形成されている。そして、ボス部２１には、雄ねじであるネジ２２が締結されている。このネジ２２をねじ込むことで、ネジ２２は上側に移動する。このため、ネジ２２と弁体３０とは、弁体支持機構５０の上下を挟み込んでいる。すなわち、弁体支持機構５０は、上端側が弁体３０に当接し、下端側がネジ２２に当接し、両者に挟み込まれて固定されている。
なお、ボス部２１に締結されたネジ２２の先端は、ボス部２１の上面よりも上側に突出している。図１に示すネジ２２の先端が、突出部２２Ａに対応している。突出部２２Ａは、たとえば、先端側に向かうに従って先細るように円錐状に形成されている。突出部２２Ａは、放水口１２の直下に配置されている。
【００２１】
（デフレクタ４０）
デフレクタ４０は、円板形状を有し、フレーム２０Ａ及びフレーム２０Ｂの下端側に設けられたボス部２１に取り付けられている。デフレクタ４０は、ヘッド本体１０の放水口１２から放出された消火水を周方向に散水するのに利用されるものである。
【００２２】
（弁体支持機構５０）
弁体支持機構５０は、弁体３０の凹部３１に設置される支承部５１Ｃを有する支柱部５１と、上面が支承部５１Ｃに当接する天秤部５２と、プランジャ５３Ａ及びシリンダ５３Ｂなどを有する感熱部５３と、ネジ２２の上端部（先端部）に当接する凹部５４Ａが形成されたレバー部５４とを有している。なお、弁体３０の下面部には、後述する弁体支持機構５０の支柱部５１の支承部５１Ｃが設置される凹部３１が形成されている。
【００２３】
支柱部５１は、高さ位置の中間部に形成された開口部５１Ａと、下端側がレバー部５４に当接し、上端側がシリンダ５３Ｂに当接している係合部５１Ｂと、弁体３０を支持する支承部５１Ｃとを有している。開口部５１Ａの上側には支承部５１Ｃが設けられ、開口部５１Ａの下側には係合部５１Ｂが設けられている。係合部５１Ｂは、下端側がレバー部５４に当接し、上端側がシリンダ５３Ｂに当接しており、プランジャ５３Ａを介して押されるシリンダ５３Ｂを支持している。支承部５１Ｃは、上側が弁体３０の凹部３１に当接し、下側が天秤部５２の上面に当接している。
【００２４】
天秤部５２は、上側から下側に突出し、プランジャ５３Ａを下側に押しつける突出部５２Ａと、レバー部５４に引っ掛けられている引掛部５２Ｂとを有している。天秤部５２は、上面が支承部５１Ｃに押されている。このため、天秤部５２は、引掛部５２Ｂ側を軸とし、突出部５２Ａでプランジャ５３Ａを押しつけるように作用している。このとき、引掛部５２Ｂがレバー部５４に引っ掛かるため、天秤部５２がレバー部５４から外れてしまうことが防止される。
【００２５】
感熱部５３は、天秤部５２によって下側に押されるプランジャ５３Ａと、レバー部５４の支柱部５１に支持されるシリンダ５３Ｂと、シリンダ５３Ｂ内に収容される溶融部５３Ｃとを有している。プランジャ５３Ａは、上面部が天秤部５２の突出部５２Ａに当接し、下面部がシリンダ５３Ｂ内に収容された溶融部５３Ｃを押し付けている。溶融部５３Ｃは、熱で溶融するもの、すなわち予め設定された温度になると溶融するものであり、たとえば半田などを採用することができる。シリンダ５３Ｂは、溶融部５３Ｃを収容する凹部を有しており、下側部分がレバー部５４の係合部５１Ｂによって支持されている。
【００２６】
レバー部５４は、ネジ２２の先端部が設けられる凹部５４Ａと、支柱部５１の係合部５１Ｂの下端側が設けられる凹部５４Ｂとを有している。レバー部５４は、その上端側が、天秤部５２の引掛部５２Ｂに引っ掛けられている。凹部５４Ａは、レバー部５４の下端側部分のうちの上面側に形成され、凹部５４Ｂは、レバー部５４の下端側部分のうちの下面側に形成されている。
【００２７】
［デフレクタ４０の詳細説明］
図２は、本実施の形態に係るスプリンクラヘッド１００のデフレクタ４０の説明図である。図２（ａ）はデフレクタ４０の斜視図であり、図２（ｂ）はデフレクタ４０の上面視図である。また、図２（ｃ）はデフレクタ４０を図２（ｂ）の矢印Ａ２側から見た図であり、図２（ｄ）はデフレクタ４０を図２（ｂ）の矢印Ａ３側から見た図であり、図１（ｂ）と同じ向きからデフレクタ４０のみを見た図である。図２を参照してデフレクタ４０について詳しく説明する。
【００２８】
デフレクタ４０は、その中心側上面がボス部２１と接しており、放射状に配置された４つの扇状部２３及び４つの扇状部２４を有している。ここで、フレーム２０Ａ及びフレーム２０Ｂの外周側２０Ｔに位置する扇状部２３の方が、扇状部２４よりも高さ位置が低くなっている。デフレクタ４０のボス部２１との接地面から扇状部２４は平坦に形成されているが、扇状部２３は、段差が形成されている。
【００２９】
デフレクタ４０には、放射状にスリットＳが形成されている。スリットＳは、隣接する扇状部２３同士の間、隣接する扇状部２４同士の間、及び隣接する扇状部２３と扇状部２４との間に形成されている。さらに、デフレクタ４０には、中央部に開口部Ｏが形成されており、開口部Ｏを介してネジ２２により、デフレクタ４０をボス部２１に締結できるようになっている。
【００３０】
（扇状部２３）
扇状部２３は、フレーム２０Ａ及びフレーム２０Ｂの外周側２０Ｔに対向するように設けられているものである。ここで、デフレクタ４０のうち、フレーム２０Ａ及びフレーム２０Ｂの外周側２０Ｔの部分とは、消火水がフレーム２０Ａ及びフレーム２０Ｂを伝って上側に移動してしまうような部分を指す。すなわち、デフレクタ４０は、デフレクタ４０上の消火水がフレーム２０Ａ及びフレーム２０Ｂを伝って上側に移動しないように位置が設定された扇状部２３が形成されている。
【００３１】
本実施の形態では、扇状部２３は、フレーム２０Ａの外周側２０Ｔに２つ設けられ、フレーム２０Ｂの外周側２０Ｔに２つ設けられている。
【００３２】
扇状部２３は、ボス部２１の設置面であって平坦面を有する上段部２５と、内側端部が上段部２５に接続され、フレーム２０Ａ及びフレーム２０Ｂの外周側２０Ｔに形成された段差部２６と、内側端部が段差部２６に接続され、平坦面を有し、上段部２５よりも高さ位置が低い下段部２７とを有している。すなわち、扇状部２３は、段差が形成されており、この段差を境として中心側（弁体支持機構５０側）の面の方が外周縁側の面よりも高さが高くなっている。本実施の形態では、デフレクタ４０には、４つの段差が形成されている。
【００３３】
上段部２５は、その上面が扇状部２４の上面と同じ高さに位置している。上段部２５は、フレーム２０Ａ及びフレーム２０Ｂの取付位置の直下に設けられている。段差部２６は、水平面に平行な平坦面を有する上段部２５に対して下側に傾斜する傾斜面を有している。段差部２６は、一端側である内側端部が上段部２５の外周縁に接続され、他端側である外側端部が下段部２７に接続されている。段差部２６は、たとえば、上段部２５の上面と下段部２７の上面との高さ位置の差がデフレクタ４０の板材の厚み程度異なるように傾斜している。
【００３４】
（扇状部２４）
扇状部２４は、上段部２５と同一平面上にあり、その上面が平坦面となっており、扇状部２３に形成された段差部２６のような構成は設けられていない。扇状部２４は、その上面が扇状部２３の下段部２７の上面よりも高くなっている。より詳細には、扇状部２４の上面は、その中心側については扇状部２３（上段部２５）と同じ高さ位置となっているが、外周縁側については扇状部２３（下段部２７）よりも高くなっている。扇状部２４の中心側上及び扇状部２３の上段部２５上には、ボス部２１が設置されている。扇状部２４は、フレーム２０Ａ及びフレーム２０Ｂのうちフレーム２０Ａとフレーム２０Ｂとの間に対応する位置に設けられている。
【００３５】
［消火水の流れなどについて］
図３は、ヘッド本体１０から放出されてボス部２１側に至った消火水の流れについての説明図である。図４は、図３（ｂ）に示すＸ−Ｘ断面図である。なお、図３（ａ）は、フレーム２０Ａ及びフレーム２０Ｂのうちのボス部２１及びデフレクタ４０についての斜視図であり、図３（ｂ）は、図３（ａ）に対応する図であって図３（ａ）のデフレクタ４０の上面視図である。また、図４に示す点Ｏ１、点Ｏ２及び点Ｏ３は、図３（ｂ）に示す点Ｏ１、点Ｏ２及び点Ｏ３に対応している。図３及び図４を参照して、消火水の流れ、及びスプリンクラヘッド１００の段差部２６の形成位置などについての説明をする。
【００３６】
図３（ａ）では、ヘッド本体１０から放出されてボス部２１側に至る消火水の流れを流れＦ０として示している。そして、ボス部２１側に至った消火水、すなわちボス部２１から上側に突出している突出部２２Ａに至った消火水は、異なる経路でデフレクタ４０に至る。図３（ａ）では、その経路の一例として、流れＦ１、流れＦ２及び流れＦ３を示している。流れＦ１及び流れＦ２は、ボス部２１の横側面２１Ａから離れるように放射状に広がり、デフレクタ４０に至る流れである。流れＦ１は、ボス部２１の横側面２１Ａから離れる流れのうち、ボス部２１に対して最も内側の流れである。すなわち、流れＦ１よりも流れＦ２の方が外側に位置している。流れＦ３は、ボス部２１の横側面２１Ａを伝って下側に移動し、デフレクタ４０に至る流れである。なお、図３（ａ）において、流れＦ１は、横側面２１Ａを伝わらない場合を一例として示しているが、横側面２１Ａのたとえば上部を伝い、途中で横側面２１Ａから離れるものであってもよい。
【００３７】
図３（ｂ）では、流れＦ１のうち、フレーム２０Ａ及びフレーム２０Ｂのフレーム２０Ａ及びフレーム２０Ｂに干渉を受けないでデフレクタ４０上に至るもの、及び、フレーム２０Ａ及びフレーム２０Ｂの干渉を受けるものを示している。具体的には、図３（ｂ）に示す点Ｐ１と点Ｐ３とを結ぶ実線の円弧及び点Ｐ２と点Ｐ４とを結ぶ実線の円弧は、流れＦ１の消火水がデフレクタ４０上に着水した地点を模式的に示している。一方、図３（ｂ）に示す点Ｐ３と点Ｐ４とを結ぶ円弧及び点Ｐ１と点Ｐ２とを結ぶ円弧については点線で示している。これは、前述の実線の円弧の位置は、フレーム２０Ａ及びフレーム２０Ｂが配置されていないので流れＦ１が発生するが、点線の円弧については、図示省略のフレーム２０Ａ及びフレーム２０Ｂが障害物となり、流れＦ１が発生していないことを模式的に示すためである。
【００３８】
図３（ｂ）に示すように、横側面２１Ａを伝わらない流れのうちの最も内側の流れＦ１の消火水及び横側面２１Ａを伝って流れる流れＦ３の消火水は、上段部２５上に落下しやすい。従来のスプリンクラヘッドでは、段差部２６のような構成を備えていないため、デフレクタ上のボス部の周囲に、流れＦ１、流れＦ２及び流れＦ３などの消火水が着水すると、表面張力等によってフレームを伝い、上側に移動してしまう場合がある。しかし、本実施の形態に係るスプリンクラヘッド１００は、デフレクタ４０のうちフレーム２０Ａ及びフレーム２０Ｂの外周側２０Ｔが低くなっている。即ち、扇状部２３とフレーム２０Ａ及びフレーム２０Ｂとの高さ方向の距離が、扇状部２４とフレーム２０Ａ及びフレーム２０Ｂとの高さ方向の距離より長い。このため、たとえば流れＦ１、流れＦ２及び流れＦ３などに対応する消火水が扇状部２３側に流れ込むと、段差部２６の段差の分だけ消火水が下側に移動している。このため、扇状部２３側に流れ込んだ消火水は、その段差の分だけ、ボス部２１の横側面２１Ａやフレーム２０Ａ及びフレーム２０Ｂの表面から離れるような位置を流れることになる。したがって、扇状部２３に流れ込んだ消火水の近傍にあるフレーム２０Ａ及びフレーム２０Ｂを伝って、消火水が上側に移動してしまうことを抑制することができる。
【００３９】
図３（ｂ）及び図４に示すように、流れＦ２は、突出部２２Ａから扇状部２４側に着水するものの他に、突出部２２Ａからフレーム２０Ａおよびフレーム２０Ｂのある扇状部２３側に着水するものもある。たとえば、流れＦ２のうち、点Ｐ２上、点Ｐ３上、点Ｐ４上及び各点Ｐ１〜点Ｐ４の近傍におけるデフレクタ４０に着水するものは、ボス部２１から扇状部２３側に直に着水する。そこで、突出部２２Ａから扇状部２３側に直に着水する消火水があることを考慮し、図４に示すように、段差部２６は、流れＦ１のデフレクタ４０への着水位置Ｒよりも内側に形成されているとよい。これにより、流れＦ１及びそれよりも外側の流れＦ２に対応する消火水が、デフレクタ４０のうちの高さ位置が低い部分を流れることになり、フレーム２０Ａ及びフレーム２０Ｂを伝って上側に移動しにくくなり、デフレクタ４０の周方向における散水分布をより均一にすることができる。
【００４０】
ここで、デフレクタ４０のうちのフレーム２０Ａの外周側２０Ｔの部分とは、たとえば、デフレクタ４０の中心から点Ｐ１を通る直線と、デフレクタ４０の中心から点Ｐ２を通る直線と、デフレクタ４０の外周縁とで形成される扇形領域のうち、図３（ｂ）の点Ｐ１と点Ｐ２とを結ぶ円弧よりも外側の領域を含むものとして規定することができる。デフレクタ４０のうちのフレーム２０Ｂの外周側２０Ｔの部分についても同様である。デフレクタ４０は、この領域が低くなるように形成されている。
なお、点Ｐ１と点Ｐ２に限定されるものではなく、点Ｐ１及び点Ｐ２を基準としてずれていてもよい。たとえば、点Ｐ１及び点Ｐ２で形成される中心角よりも大きい中心角を形成する２点を採用してもよい。本実施の形態では、この大きい中心角の２点を採用し、前述した扇形領域が少し広がっている。このようにマージンを取り、デフレクタ４０の高さ位置が低くなる部分を広げることで、消火水がフレーム２０Ａ及びフレーム２０Ｂを伝って上側に移動することをより確実に抑制することができる。また、説明は省略するが、デフレクタ４０のうちのフレーム２０Ｂの外周側２０Ｔの部分についても、点Ｐ３及び点Ｐ４を基準として同様に規定することができる。
【００４１】
［本実施の形態に係るスプリンクラヘッド１００の有する効果］
本実施の形態に係るスプリンクラヘッド１００のデフレクタ４０は、フレーム２０Ａ及びフレーム２０Ｂの外周側２０Ｔに配置された扇状部２３の高さ位置が、フレーム２０Ａとフレーム２０Ｂとの間に対応する位置に設けられた扇状部２４の高さ位置よりも低くなるように形成されている。このため、突出部２２Ａに至った消火水が、デフレクタ４０上に着水して扇状部２３側に消火水が流れ込んだときに、その流れ込んだ消火水の近傍にあるフレーム２０Ａ及びフレーム２０Ｂを伝って消火水が上側に移動してしまうことを抑制することができる。これにより、実施の形態に係るスプリンクラヘッド１００は、デフレクタ４０のうちのフレーム２０Ａ及びフレーム２０Ｂの外周側２０Ｔに位置している部分から放出される消火水の量、勢いが低減してしまうことを抑制し、デフレクタ４０の周方向における散水分布をより均一にすることができる。
【００４２】
なお、本実施の形態においては、フレーム２０Ａ及びフレーム２０Ｂが設けられた態様について説明したが、それに限定されるものではない。たとえば、３つ以上のフレームが設けられている態様であっても本実施の形態に係るスプリンクラヘッド１００と同様の効果を得ることができる。
【００４３】
本実施の形態では、主にスプリンクラヘッド１００から水（消火水）が放出される場合を一例に説明しているが、消火剤はそれに限定されるものではなく、消火薬剤を消火水に添加した消火液（例えば、泡水溶液）であっても同様の効果を得ることができる。従って、本発明の消火用ヘッドは、消火水を散水するスプリンクラヘッド１００だけではなく、泡水溶液等の消火液を散布するヘッドも含む。
【００４４】
本実施の形態では、デフレクタ４０にスリットＳが８つ形成され、４つの扇状部２３及び４つの扇状部２４が設けられた態様について説明したが、これらの構成の数に限定されるものではない。たとえば、デフレクタ４０に複数のスリットが形成され、複数の扇状部が設けられていれば、本実施の形態に係るスプリンクラヘッド１００の有する効果と同様の効果を得ることができる。
【００４５】
本実施の形態において、扇状部２３及び扇状部２４は、それぞれが形成する中心角が同じ角度になるように形成されている態様を一例に説明したが、それに限定されるものではない。それぞれの扇状部２３及び扇状部２４は、中心角が不揃いであってもよい。たとえば、扇状部２４に追加のスリットを形成した態様であってもよい。この場合には、２つに分けられたそれぞれの扇状部２４の形成する中心角は半分程度となるが、この態様であっても本実施に係るスプリンクラヘッド１００と同様の効果を得ることができる。
【００４６】
本実施の形態においては、全ての扇状部２３の外周縁及び全ての扇状部２４の外周縁が同一円周上にくるように形成されている態様について説明したが、それに限定されるものではなく、その同一円から外側又は内側にずれていてもよい。
【００４７】
本実施の形態においては、流れＦ１が横側面２１Ａを伝わらない流れのうちの最も内側のものとし、段差部２６が流れＦ１の着水位置Ｒよりも内側に形成されているものとして説明したが、それに限定されるものではない。流れＦ１が、横側面２１Ａを伝わらない流れのうちの最も横側面２１Ａ寄りの流れであり、段差部２６がこの流れＦ１の着水位置Ｒよりも外側に形成されていてもよい。この態様では、段差部２６よりも内側（内周側）に横側面２１Ａを伝わらない消火水の流れＦ１が存在することになるが、流れＦ１よりも外側の消火水の流れについては段差部２６よりも外側で着水することになる。したがって、横側面２１Ａを伝わらない流れの一部、すなわち流れＦ１よりも外側の消火水の流れについては、下段部２７に着水することになり、消火水がより滑らかにデフレクタ４０上を流れ、デフレクタ４０の周方向における散水分布をより均一にすることができる。
【００４８】
本実施の形態においては、段差部２６が傾斜面を有するものを一例として説明したが、それに限定されるものではなく、たとえば垂直面であってもよい。また、段差部２６は、平坦面であってもよいし、曲面であってもよい。
【００４９】
本実施の形態においては、支柱部５１、天秤部５２、感熱部５３及びレバー部５４を有する弁体支持機構５０を一例として説明したが、それに限定されるものではない。すなわち、弁体支持機構５０は、この構成に限定されず、種々の公知の構成のものを採用することができる。
【００５０】
本実施の形態においては、デフレクタ４０が扇状部２３及び扇状部２４の両方が一体的に形成されているものとして説明したが、それに限定されるものではない。たとえば、扇状部２３を備える第１のデフレクタと扇状部２４を備える第２のデフレクタの２つを上下に重ねるように配置して、デフレクタ４０と同様の機能を持たせるようにしてもよい。
【００５１】
［変形例１］
図５は、本実施の形態に係るスプリンクラヘッド１００の変形例１の説明図である。なお、図５では、図１（ｂ）に示すデフレクタ４０及びボス部２１と同じ向きのデフレクタ４０Ａ及びボス部２１を示している。また、図５では、ボス部２１及びネジ２２の下部について示し、この下部より上側については図示を省略している。さらに、説明の便宜のため、扇状部２４については図示していない。本変形例１のデフレクタ４０Ａは、扇状部２３Ａのうちの消火水が流れる部分の全体が、図示省略の扇状部２４よりも高さ位置が低くなるように形成されている。
【００５２】
扇状部２３Ａは、上段部２５Ａ、段差部２６Ａ及び下段部２７Ａを有している。上段部２５Ａについては、ボス部２１を設置するだけの面しか有していない。すなわち、上段部２５Ａの外周縁の位置は、ボス部２１の横側面２１Ａの位置に対応している。このため、段差部２６Ａの形成位置は、段差部２６よりも中心側である。また、段差部２６Ａは、垂直面である。下段部２７Ａは、デフレクタ４０Ａの径方向に平行な長さが、下段部２７よりも長くなっている。この変形例１においても、本実施の形態に係るスプリンクラヘッド１００と同様の効果を得ることができる。
【００５３】
［変形例２］
図６は、本実施の形態に係るスプリンクラヘッド１００の変形例２（スプリンクラヘッド１０１）の説明図である。本実施の形態においては、弁体支持機構５０を備えたスプリンクラヘッド１００について一例を説明したがそれに限定されるものではない。図６に示すスプリンクラヘッド１０１は、弁体３０及び弁体支持機構５０に対応する構成を有していない開放型のスプリンクラヘッドである。なお、この開放型のスプリンクラヘッド１０１を建物に設置する場合には、たとえば、給水管に弁体３０に対応する構成及び弁体支持機構５０に対応する構成（たとえば、グラスバルブなど）を備えた感熱開放継手（図示省略）を設置する。感熱開放継手は、スプリンクラヘッド１０１よりも給水管の上流側に設置される。熱によって弁体支持機構５０に対応する構成が作動すると、弁体に対応する構成が給水管の流路を開放し、スプリンクラヘッド１０１に消火水が流れる。ヘッド本体１０の放水口１２は開放されているので、スプリンクラヘッド１０１に供給された消火水は、そのまま突出部２２Ａに流れ落ち、デフレクタ４０を流れて散水される。
【符号の説明】
【００５４】
１０  ヘッド本体、１０Ａ  中空部、１１  開口部、１２  放水口、１３  フランジ、１４  ねじ部、１５  係止部、１６  凹部、１７  弁座、１８  ノズル部、１９  ストップリング、２０Ａ  フレーム、２０Ｂ  フレーム、２０Ｔ  外周側、２１  ボス部、２１Ａ  横側面、２２  ネジ、２２Ａ  突出部、２３  扇状部、２３Ａ  扇状部、２４  扇状部、２５  上段部、２５Ａ  上段部、２６  段差部、２６Ａ  段差部、２７  下段部、２７Ａ  下段部、３０  弁体、３１  凹部、４０  デフレクタ、４０Ａ  デフレクタ、５０  弁体支持機構、５１  支柱部、５１Ａ  開口部、５１Ｂ  係合部、５１Ｃ  支承部、５２  天秤部、５２Ａ  突出部、５２Ｂ  引掛部、５３  感熱部、５３Ａ  プランジャ、５３Ｂ  シリンダ、５３Ｃ  溶融部、５４  レバー部、５４Ａ  凹部、５４Ｂ  凹部、１００  スプリンクラヘッド、１０１  スプリンクラヘッド、Ｏ  開口部、Ｒ  着水位置、Ｓ  スリット。
【図１】
2016067509.tif 000003
【図２】
2016067509.tif 000004
【図３】
2016067509.tif 000005
【図４】
2016067509.tif 000006
【図５】
2016067509.tif 000007
【図６】
2016067509.tif 000008